(57)【要約】      （修正有）【課題】ガラス天板を使用したテーブルが普及し、調度品から装飾品としての位置付けが出来上がりつつある現代においても、天板そのものを、装飾品として、使用者各々の趣味嗜好に合わせ、独自の創意で、アレンジすることが出来ない。本考案は、天板表面に凹み部分を設け、美術工芸品からなる別部材を着脱自在、略面一に嵌め込むことによる、テーブルにおける美術工芸品アレンジメントを提供する。【解決手段】天板表面に美術工芸品自体の寸法に合わせた凹み部分を設け、凹み底部には単数、又は複数個の貫通孔を開け、使用者の趣味嗜好により前記美術工芸品を天板表面と略面一、着脱自在に嵌め込むことで、テーブルにおける美術工芸品アレンジメントを可能にした。【選択図】図１
0003126921.tif 000002
【実用新案登録請求の範囲】
【請求項１】
天板表面に単数又は複数個の凹み部分を設け、美術工芸品（ステンドグラス、切り子ガラス、又は、陶磁器のタイル、漆器、金工品、木工品、絵画、写真、額を含む）からなる別部材を略面一に嵌め込むことによる、テーブルにおける美術工芸品アレンジメント。
【請求項２】
請求項１に記載の天板であって、凹み底部には単数又は複数個の貫通孔を有し、前記美術工芸品を着脱自在にすることを特徴とする天板。
【請求項３】
請求項１に記載の天板であって、前記凹み底部に非接着性粘着材を敷き、その上から前記美術工芸品を嵌め込むことを特徴とする天板。
【請求項４】
請求項１に記載の天板であって、凹み部分と前記美術工芸品の隙間に充填剤を充填してなる天板。
【考案の詳細な説明】
【技術分野】
【０００１】  本考案はテーブルに使用する天板の装飾に関する。
【背景技術】
【０００２】  日本のみならず世界各国には数多くの美術工芸品があり、その中には陳列された鑑賞物として生活と掛け離れ、現代、及び日本の生活様式にそぐわないものもある。しかしながら、前記美術工芸品に何らかの加工を加え、現代風、又は日本風アレンジメントを加える実例はさほど見ない。テーブルに関して言えば、天板自体は単に調度品の域にあり、室内装飾の観点からすれば都会的なイメージのあるガラス天板が存在するが、バリエーションは少ない。
【考案の開示】
【考案が解決しようとする課題】
【０００３】  しかし、それでは、ガラス天板が普及し、調度品から装飾品としての位置付けが出来上がりつつある現代においても、天板そのものを、装飾品として、使用者各々の趣味嗜好に合わせ、独自の創意で、アレンジすることは出来ない。
【課題を解決するための手段】
【０００４】  そこで、本考案によれば、天板表面に美術工芸品自体の寸法に合わせた凹み部分を設け、凹み底部には単数又は複数個の貫通孔を開け、前記美術工芸品を天板表面と略面一に嵌め込み設置するが、使用者の趣味嗜好により、天板本体裏側より貫通孔から治具を挿入して、前記美術工芸品を着脱自在にアレンジすることの出来る、オリジナリティーのある天板を考案した。
【考案の効果】
【０００５】  よって、本考案の天板により、使用者の趣味嗜好に合わせ、各々の生活スタイルによってアレンジすることが出来、美術工芸品を生活の中に一層融合させ、調度品としての機能を損なわずに、誂え感覚のある天板として、装飾性を備えることが出来る。従って、既製品を選択して、特色のある美術工芸品によりオリジナリティーのある製品を構成し、ソフィスティケーション（都会的洗練）な生活に寄与することになる。さらに、着脱自在な別部材には、天板本体に一層実用性を持たせようとする使用者の意思に沿うことも出来、例えば天板表面が金属とするなら、熱伝導率の高い金属の短所に対し、熱伝導率の低い材料（工芸品の中でも陶磁器、石材、木材など）を嵌め込むことにより、材質的機能性を高めることも出来る。
【考案を実施するための最良の形態】
【０００６】  本考案に係わる天板は、図２に示すように、美術工芸品の形状に合わせた凹みの底部には、単数又は複数個の貫通孔を有し、天板表面と略面一に嵌め込んだ美術工芸品を、前記貫通孔を用い、底部から治具を挿入することにより、取り外しを容易にしている。請求項３に示すような非接着性粘着材を凹み底部と美術工芸品との間に敷くのは、前記美術工芸品と前記凹み底部との隙間を埋め、がたを無くすことを目的としている。請求項４では、天板表面と略面一にほぼ隙間無く嵌め込んだ美術工芸品であるが、些少の隙間は構造上やむを得ないものであり、その隙間を埋めるために充填剤を使用するものとする。
【図面の簡単な説明】
【０００７】
【図１】本考案におけるテーブルの斜視図である。
【図２】天板と美術工芸品との関係を示す斜視図である。
【符号の説明】
【０００８】  １、天板凹み部分
２、凹み底部貫通孔
３、天板表面
１０、天板本体
２０、テーブル台
３０、美術工芸品
４０、非接着性粘着材
【図１】
0003126921.tif 000003
【図２】
0003126921.tif 000004
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
台座又は足と取り外し可能な金属製天板の表面に単数又は複数個の凹み部分を設け、美術品・工芸品・写真からなる平板状別部材を略面一に嵌設出来ることを特徴とするテーブル。
【請求項２】
請求項１に記載のテーブルであって、天板の凹み底部には治具を挿入する為の単数又は複数個の貫通孔を有し、美術品・工芸品・写真からなる平板状別部材を着脱自在にすることを特徴とするテーブル。
【請求項３】
請求項１に記載のテーブルであって、天板の凹み底部と美術品・工芸品・写真からなる平板状別部材の中間に、非接着性粘着材を介装してなるテーブル。
【請求項４】
請求項１に記載のテーブルであって、天板の凹み部分と略面一に嵌設した美術品・工芸品・写真からなる平板状別部材との隙間に充填剤を詰めてなるテーブル。
【手続補正２】
【補正対象書類名】明細書
【補正対象項目名】全文
【補正方法】変更
【補正の内容】
【考案の詳細な説明】
【技術分野】
【０００１】  本考案はテーブルの装飾に関する。
【背景技術】
【０００２】  世界各国には数多くの平板状美術品・工芸品等があり、その中には陳列された鑑賞物として日常生活から掛け離れ、現代、及び日本の生活様式にそぐわないものもある。しかしながら、当該美術品・工芸品等に何らかの加工を加え、現代風、又は日本風アレンジメントを加える実例はさほど無く、テーブルに関して言えば、天板自体は単に調度品の域にあり、室内装飾の観点から都会的印象のあるガラス天板が存在するものの、ガラスは割れ易い等の材質的特徴から加工方法は限られ、独自のアレンジをすることは難しい。また、木製の合板等を用いた天板では凹み底部の板に厚みが必要となる等の点により、天板が台座又は足と取り外し可能なテーブルにおいては、重量が増したり、材質の異なる別板を使用したりする必要があり、外観及び機能上そぐわない。
【考案の開示】
【考案が解決しようとする課題】
【０００３】ガラス天板が普及し、テーブルが調度品から都会的印象のある装飾品としての位置付けが認識されつつあるにも係わらず、取り外し可能な天板を有したテーブルを使用者各々の趣味嗜好に合わせ、独自の創意でアレンジすることは難しい。
【課題を解決するための手段】
【０００４】  そこで、本考案の請求項１によれば、金属製天板の表面に、ガラス細工、装飾タイル、漆器、金工品、木工品、絵画、写真等の美術品・工芸品等からなる平板状別部材の額を含む寸法に略合わせた凹み部分を設け、当該美術品・工芸品・写真等を着脱自在、略面一に嵌設することが出来、また、当該美術品・工芸品・写真等は使用者の趣味嗜好によるものであり、請求項２により凹み底部に開けた貫通孔を使い、取替を容易にすることで、使用者各々の感性によって自由にアレンジすることが出来る、独自性のある、取り外し可能な天板を有するテーブルを考案した。
【考案の効果】
【０００５】  よって、本考案のテーブルにより、美術品・工芸品等を生活の中に一層融合させ、調度品としての機能を損なわずに、誂え感覚のあるテーブルとして、装飾性を備えることが出来る。更に既製品を選択して、特色のある、美術品・工芸品・写真等からなる平板状別部材により、独自性のある製品を構成し、都会的に洗練された生活に寄与することになる。また、着脱自在な工芸品等からなる平板状別部材は、天板本体に一層実用性を持たせようとする使用者の意思に沿うことも出来、天板表面を金属とすることから、熱伝導率が高い金属の性質に対し、熱伝導率が低い材質の工芸品等を嵌設することにより、材質的機能性を高めることも出来る。
【考案を実施するための最良の形態】
【０００６】図１は本考案に係わる台座又は足と取り外し可能な金属製天板の表面に美術品・工芸品・写真等からなる平板状別部材を略面一に嵌設したテーブルの一実施形態である。図２では、請求項２により、美術品・工芸品・写真等からなる平板状別部材の形状に合わせて設けられた天板凹みの底部に開けた貫通孔の一加工形態を表しており、治具を前記貫通孔から裏面より挿入することで、天板表面と略面一に嵌設した当該美術品・工芸品・写真等からなる平板状別部材の取り外しを容易にしている。請求項３及び４により、天板表面に設けた凹み部分に、当該美術品・工芸品・写真等からなる平板状別部材を嵌設する時に生じた物理的段差を、非接着性粘着材、又は充填剤により調整することで、天板と当該美術品・工芸品・写真等をより一体化させることが出来る。
【図面の簡単な説明】
【０００７】
【図１】本考案一実施形態におけるテーブルの斜視図である。
【図２】天板と美術工芸品等との関係を示す斜視図である。
【符号の説明】
【０００８】  １、天板凹み部分
２、凹み底部貫通孔
３、天板表面
１０、天板本体
２０、台座又は足
３０、美術工芸品等
４０、非接着性粘着材